(57)【要約】【課題】脳をリラックスさせることが可能な眼鏡を得る。【解決手段】眼鏡１００が着用された状態でスイッチがオンにされると、右支持桿１５ａ及び左支持桿１５ｂが有する弾性によって頬骨に押しつけられた右パッド１６ａ及び左パッド１６ｂを介して、右振動子１７ａ及び左振動子１７ｂが生成した８〜１２Ｈｚの振動が頬骨を介して脳に伝えられる。脳は、外部から振動波が与えられると、その振動波に同調した脳波を生じる傾向がある。８〜１２Ｈｚの振動を受けた脳は、８〜１２Ｈｚの振動に同調した脳波を生成する。この８〜１２Ｈｚの脳波は、いわゆるアルファ波とよばれ、アルファ波を生成している脳はリラックスした状態にある。すなわち、本実施形態によれば、８〜１２Ｈｚの振動を確実に脳に伝えることにより、脳をリラックスした状態にすることができる。【選択図】図１
2020204671.tif 000002
【特許請求の範囲】
【請求項１】
鼻パッドを備えない眼鏡であって、
前記眼鏡のテンプルから延びるパッドと、
前記パッドの内部に格納され、８〜１２Ｈｚの振動を生じる振動子と、
前記眼鏡のモダンに取り付けられ、前記振動子を制御する制御部と
を備える眼鏡。
【請求項２】
前記パッドは頬骨に接触し、前記振動子は前記頬骨に振動を与える請求項１に記載の眼鏡。
【請求項３】
前記制御部は、前記振動子に電力を供給する電力供給部と、前記振動子を制御する制御回路とを備える請求項１又は２に記載の眼鏡。
【請求項４】
前記電力供給部は、前記モダンの後方端付近に設置される請求項３に記載の眼鏡。
【請求項５】
Ｊ字形状の支持桿をさらに備え、前記支持桿の一端は、前記眼鏡のツルに取り付けられ、他端は前記パッドを保持する請求項１から４のいずれかに記載の眼鏡。
【発明の詳細な説明】
【技術分野】
【０００１】
本発明は、振動子を備える眼鏡に関する。
【背景技術】
【０００２】
従来、鼻パッドと、蝶形骨に密着して音声振動波による骨伝導を行う通信装置とを備える眼鏡が知られている。通信装置は、システム装置と骨伝導振動装置とを備える。眼鏡は、蝶形骨と皮膚箇所に密着するテンプルを備え、テンプルは通信装置を格納する。これにより、テンプルに収納された骨伝導振動装置が、頬骨に音声振動波を骨伝導する（特許文献１）。
【先行技術文献】
【特許文献】
【０００３】
【特許文献１】特公表２０１２−５１０２１８号明細書
【発明の概要】
【発明が解決しようとする課題】
【０００４】
脳がリラックスしているとき、その脳波はいわゆる８Ｈｚから１２Ｈｚのアルファ波を成す。また、外部から振動波が与えられると、脳はその振動波に同調した脳波を生じる傾向がある。特許文献１が開示する音声振動波の周波数は、通常、約２０Ｈｚから１５０００Ｈｚであってアルファ波の周波数と異なるため、音声振動波を脳に与えて同調させても、脳がリラックスしてアルファ波を生じることはない。
【０００５】
本発明は、脳をリラックスさせることが可能な眼鏡を提供することを目的とする。
【課題を解決するための手段】
【０００６】
本発明による眼鏡は、鼻パッドを備えない眼鏡であって、眼鏡のテンプルから延びるパッドと、パッドの内部に格納され、８〜１２Ｈｚの振動を生じる振動子と、眼鏡のモダンに取り付けられ、振動子を制御する制御部とを備えることを特徴とする。
【０００７】
パッドは頬骨に接触し、振動子は頬骨に振動を与えることが好ましい。
【０００８】
制御部は、振動子に電力を供給する電力供給部と、振動子を制御する制御回路とを備えることが好ましく、電力供給部は、モダンの後方端付近に設置されてもよい。
【０００９】
Ｊ字形状の支持桿をさらに備え、支持桿の一端は、眼鏡のツルに取り付けられ、他端はパッドを保持することが好ましい。
【発明の効果】
【００１０】
本発明によれば、脳をリラックスさせることが可能な眼鏡を得る。
【図面の簡単な説明】
【００１１】
【図１】本発明の一実施形態による眼鏡を概略的に示した斜視図である。
【図２】パッドと振動子とを概略的に示す分解図である。
【図３】右パッドと右振動子とを概略的に示す拡大図である。
【発明を実施するための形態】
【００１２】
以下、本発明の一実施形態による眼鏡１００について図１〜３を用いて説明する。以下、眼鏡１００を頭部に着用したときに、着用者の顔が向く方向を前方、着用者の後頭部方向を後方、眼鏡１００における頭部側を内側、その反対方向を外側といい、着用者の右方向を右側、左方向を左側という。
【００１３】
眼鏡１００は、レンズ１０を保持する右リム１１ａ及び左リム１１ｂと、右リム１１ａと左リム１１ｂとを繋ぐブリッジ１２と、右テンプル１３ａ及び左テンプル１３ｂと、右モダン１４ａ及び左モダン１４ｂと、右支持桿１５ａ及び左支持桿１５ｂと、右パッド１６ａ及び左パッド１６ｂと、右振動子１７ａ及び左振動子１７ｂと、制御部１８とを主に備える一方で、鼻パッドを備えない。
【００１４】
右リム１１ａ及び左リム１１ｂは、環状をなし、環状の内周にレンズ１０が嵌め込まれる。右テンプル１３ａは、矩形断面を有する棒形状であって、右リム１１ａに対して所定の角度範囲で揺動自在となるように取り付けられ、後方に延びる。鉛直上方から見たとき、右テンプル１３ａは、右リム１１ａとの取付部分から外側に向けて延びた後に屈曲点Ａを経て内側に延びる。右テンプル１３ａの後端は下方に湾曲する。左テンプル１３ｂは、右テンプル１３ａと対象形状を有するため、説明を省略する。
【００１５】
図３を参照すると、右支持桿１５ａは、弾性を有する金属、例えばβチタンから成るとともに、側面視において直線状の一端と湾曲して成る他端とを備える略Ｊ字形状を有し、湾曲した他端に長円環１９が取り付けられる。右支持桿１５ａにおける直線状の一端には、長円孔２４が設けられ、この長円孔２４に遊嵌する２本のねじ２４ａによって、右支持桿１５ａが右テンプル１３ａに取り付けられる。２本のねじ２４ａを緩めることによって、右テンプル１３ａに対する右支持桿１５ａの位置を調節し、右支持桿１５ａを適切な位置に置いた後に２本のねじ２４ａを締めて固定する。このようにして、右支持桿１５ａは、右テンプル１３ａに対して前後位置を調節可能である。右テンプル１３ａに取り付けられた右支持桿１５ａを鉛直上方から見たとき、右支持桿１５ａは、一端から長円環１９に向けて緩やかに内側に張り出す。左支持桿１５ｂは、右支持桿１５ａと対象形状を有するため、説明を省略する。
【００１６】
右パッド１６ａは、シリコンから成り、前後方向に延びる側面視涙型（雫型）の頬当て部２０と、頬当て部２０の外側面に設けられる側面視涙型（雫型）の嵌合部２１とを備える。頬当て部２０は、その中心部に空洞２２を有し、かつ厚さ方向に二分割するように切れ目が設けられる。空洞２２に右振動子１７ａが格納される。図２は、切れ目を開いて、空洞２２に格納された右振動子１７ａを示した図である。右パッド１６ａの空洞２２に右振動子１７ａが格納された後、切れ目が閉じられて接着される。右振動子１７ａに接続される電線１８ｃが、切れ目の間を通過して空洞２２から右パッド１６ａの外部に延びて、制御部１８に接続される。図１を参照すると、嵌合部２１は、長円環１９の内側から挿入されて長円環１９の内周と嵌合し、これにより、右パッド１６ａが右支持桿１５ａに固定される。左パッド１６ｂは、右パッド１６ａと対象形状を有するため、説明を省略する。
【００１７】
右モダン１４ａ及び左モダン１４ｂは、右テンプル１３ａ及び左テンプル１３ｂの後方端から中央手前まで覆うように取り付けられる。左モダン１４ｂの外側に、制御部１８が取り付けられる。制御部１８は、制御回路１８ａと電池（電力供給部）１８ｂとを備える。制御回路１８ａは、右振動子１７ａ及び左振動子１７ｂを駆動するための回路と、図示されないスイッチとを備える。電池１８ｂは、例えば充電可能な二次電池であって、図示されない電線を介して、制御回路１８ａ及び右振動子１７ａ及び左振動子１７ｂに電力を供給する。電池１８ｂは、制御回路１８ａよりも重く、左モダン１４ｂの後方端付近に設置され、制御回路１８ａは、左モダン１４ｂにおいて、眼鏡１００を着用したときに着用者の耳の直上となる位置に設置される。ここで、左モダン１４ｂの後方端付近は、左モダン１４ｂの後方先端から、眼鏡１００を着用したときに着用者の耳の直上となる位置までを意味する。一般に、眼鏡１００の全重量において、レンズ１０の重さは大きな割合を占める。そのため、眼鏡１００は耳上方左右軸周りの前方下方に対するモーメントが働く。しかしながら、本実施形態によれば、重さのある電池１８ｂを左モダン１４ｂの後方端付近に設置することにより、電池１８ｂの重さがレンズ１０によるモーメントと反対方向に作用して、眼鏡１００がずり落ちることを防止する。また、制御回路１８ａを耳直上に設置することにより、制御回路１８ａが耳上方周りのモーメントを生じない。着用者がスイッチをオンにすると、制御回路１８ａは、右振動子１７ａ及び左振動子１７ｂに適切な電圧をかけて駆動する。あるいは、着用者がスイッチをオフにすると、右振動子１７ａ及び左振動子１７ｂへの電力供給を遮断する。右振動子１７ａ及び左振動子１７ｂは、８〜１２Ｈｚで振動する、例えば圧電素子である。
【００１８】
眼鏡１００が着用されると、右パッド１６ａ及び左パッド１６ｂが頬骨と接触する。このとき、右支持桿１５ａ及び左支持桿１５ｂが有する弾性によって、右パッド１６ａ及び左パッド１６ｂは適切な圧力で頬骨に押しつけられる。他方、前述のように、右テンプル１３ａ及び左テンプル１３ｂは、鉛直上方から見たとき、屈曲点Ａを経て内側に延びる。この内側に延びる部分が耳上方の骨と密着する。このように、右パッド１６ａ、左パッド１６ｂ、右テンプル１３ａ、及び左テンプル１３ｂの圧力によって、眼鏡１００が頭部に適切に固定される。
【００１９】
眼鏡１００が着用された状態でスイッチがオンにされると、右支持桿１５ａ及び左支持桿１５ｂが有する弾性によって頬骨に押しつけられた右パッド１６ａ及び左パッド１６ｂを介して、右振動子１７ａ及び左振動子１７ｂが生成した８〜１２Ｈｚの振動が頬骨を介して脳に伝えられる。脳は、外部から振動波が与えられると、その振動波に同調した脳波を生じる傾向がある。８〜１２Ｈｚの振動を受けた脳は、８〜１２Ｈｚの振動に同調した脳波を生成する。この８〜１２Ｈｚの脳波は、いわゆるアルファ波とよばれ、アルファ波を生成している脳はリラックスした状態にある。すなわち、本実施形態によれば、８〜１２Ｈｚの振動を確実に脳に伝えることにより、脳をリラックスした状態にすることができる。
【００２０】
右パッド１６ａ及び左パッド１６ｂの形状は側面視涙型に限定されず、円形、矩形、長円形、楕円形など、頬骨に接触可能な形であればよい。
【００２１】
制御部１８は、右モダン１４ａ及び／又は左モダン１４ｂの内部に格納されてもよい。また、制御部１８は、右モダン１４ａに取り付けられてもよく、右モダン１４ａ及び左モダン１４ｂの両方に取り付けられ、各々の側の振動子を制御してもよい。
【００２２】
右支持桿１５ａ及び左支持桿１５ｂの形状は略Ｊ字形状に限定されず、Ｉ字形状、Ｕ字形状など、右パッド１６ａ及び左パッド１６ｂを頬骨に押しつけられる形状であればよい。また、長円環１９の内周は、長円に限定されず、楕円、矩形、Ｃ字型等、右パッド１６ａ及び左パッド１６ｂを保持できる形状であればよい。
【００２３】
なお、電池１８ｂが制御回路１８ａよりも重い場合について説明したが、制御回路１８ａが電池１８ｂよりも重い場合には、制御回路１８ａが左モダン１４ｂの後方端付近に設置され、電池１８ｂは、左モダン１４ｂにおいて、眼鏡１００を着用したときに着用者の耳の直上となる位置に設置される。
【００２４】
さらに、電池１８ｂの重さだけでは、眼鏡１００がずり落ちることを防止できない場合等には、電池１８ｂ及び制御回路１８ａが左モダン１４ｂの後方端付近に設置される。
【００２５】
なお、部材の材質及び数は例示であって、前述したものに限定されず、他の材質及び数を採ってもよい。また、本明細書および図中に示した各部材の大きさは例示であって、これらの大きさに限定されない。
【００２６】
ここに付随する図面を参照して本発明の実施形態が説明されたが、記載された発明の範囲と精神から逸脱することなく、変形が各部の構造と関係に施されることは、当業者にとって自明である。
【符号の説明】
【００２７】
１０  レンズ
１１ａ  右リム
１１ｂ  左リム
１２  ブリッジ
１３ａ  右テンプル
１３ｂ  左テンプル
１４ａ  右モダン
１４ｂ  左モダン
１５ａ  右支持桿
１５ｂ  左支持桿
１６ａ  右パッド
１６ｂ  左パッド
１７ａ  右振動子
１７ｂ  左振動子
１８  制御部
１８ａ  制御回路
１８ｂ  電池（電力供給部）
１９  長円環
２０  部
２１  嵌合部
２２  空洞
１００  眼鏡
【図１】
2020204671.tif 000003
【図２】
2020204671.tif 000004
【図３】
2020204671.tif 000005